(57)【特許請求の範囲】
【請求項１】
デジタルマップを表示するデジタルマップ表示手段と、
前記デジタルマップの表示部位の移動を指示する操作手段と、
前記操作手段による操作に応じて、前記デジタルマップ上に表示されるポインタを設定するポインタ設定手段と、
前記操作手段による移動指示に応じて、前記デジタルマップの表示部位の移動を制御する移動制御手段と、
前記ポインタの近傍に、前記デジタルマップの移動に関する情報を提示するウィンドウを表示するウィンドウ表示手段と
を備え、
前記ポインタ設定手段は、前記操作手段による移動指示操作の起点から終点までの距離を、前記ポインタの長さとして設定し、
前記移動制御手段は、前記ポインタの長さに基づいて、前記デジタルマップの移動速度を設定し、
前記ウィンドウ表示手段は、前記ウィンドウに前記デジタルマップの前記移動速度を表示する
ことを特徴とする情報処理装置。
【請求項２】
前記移動制御手段は、さらに前記操作手段による移動指示操作の移動指示操作の起点から終点へ向かう方向に基づいて、前記デジタルマップの移動方向を設定し、前記移動方向に沿って前記デジタルマップの表示部位を移動し、
前記ウィンドウ表示手段は、前記ウィンドウに前記デジタルマップの前記移動方向を表す情報を表示する
ことを特徴とする請求項１に記載の情報処理装置。
【請求項３】
デジタルマップを表示する表示ステップと、
前記デジタルマップの表示部位の移動を指示する操作ステップと、
前記操作ステップの処理による操作に応じて、前記デジタルマップ上に表示されるポインタを設定するポインタ設定ステップと、
前記操作ステップの処理による移動指示に応じて、前記デジタルマップの表示部位の移動を制御する移動制御ステップと、
前記ポインタの近傍に、前記デジタルマップの移動に関する情報を提示するウィンドウを表示するウィンドウ表示ステップと
を含み、
前記ポインタ設定ステップの処理では、前記操作ステップの処理による移動指示操作の起点から終点までの距離が、前記ポインタの長さとして設定され、
前記移動制御ステップの処理では、前記ポインタの長さに基づいて、前記デジタルマップの移動速度が設定され、
前記ウィンドウ表示ステップの処理では、前記ウィンドウに前記デジタルマップの前記移動速度が表示される
ことを特徴とする情報処理方法。
【請求項４】
前記移動制御ステップの処理では、さらに前記操作ステップの処理による移動指示操作の移動指示操作の起点から終点へ向かう方向に基づいて、前記デジタルマップの移動方向が設定され、前記移動方向に沿って前記デジタルマップの表示部位が移動され、
前記ウィンドウ表示ステップの処理では、前記ウィンドウに前記デジタルマップの前記移動方向を表す情報が表示される
ことを特徴とする請求項３に記載の情報処理方法。
【請求項５】
デジタルマップの表示を制御する表示制御ステップと、
前記デジタルマップの表示部位の移動の指示を制御する操作制御ステップと、
前記操作制御ステップの処理による操作に応じて、前記デジタルマップ上に表示されるポインタの設定を制御するポインタ設定制御ステップと、
前記操作制御ステップの処理による移動指示に応じて、前記デジタルマップの表示部位の移動を制御する移動制御ステップと、
前記ポインタの近傍に、前記デジタルマップの移動に関する情報を提示するウィンドウの表示を制御するウィンドウ表示制御ステップと、
をコンピュータに実行させるプログラムが記録されている記録媒体であって、
前記ポインタ設定制御ステップの処理では、前記操作制御ステップの処理による移動指示操作の起点から終点までの距離が、前記ポインタの長さとして設定され、
前記移動制御ステップの処理では、前記ポインタの長さに基づいて、前記デジタルマップの移動速度が設定され、
前記ウィンドウ表示制御ステップの処理では、前記ウィンドウに前記デジタルマップの前記移動速度が表示される
ことを特徴とする記録媒体。
【発明の詳細な説明】
【０００１】
【発明の属する技術分野】
本発明は、デジタル化された地図情報であるデジタルマップの表示部位を表示画面内で移動するための情報処理装置および方法、並びに記録媒体に関するものである。
【０００２】
【従来の技術】
デジタル化された地図情報であるデジタルマップは、パーソナルコンピュータなどのコンピュータの表示画面で扱えるように電子化した地図のことである。この種のデジタルマップは、電子地図あるいは地図ソフトウェアとも呼ばれており、表示画面上に地図を表示することができる。
このようなデジタルマップは、例えば携帯型のコンピュータの表示画面に地図を表示させて、地図上に目標物を設定するといった動作を行ったりすることができるようになっており、近年では、カーナビゲーションシステムなどにも応用されている。
【０００３】
ところで、従来のデジタルマップの表示部位を表示画面内に表示した状態において、その表示部位を移動して、ユーザが見たい所の表示部位にする場合には、グラバーハンドと呼ばれている手の形をしたアイコン（ポインタ）を用いて、いわゆる手送り状態でデジタルマップの表示部位を少しずつ移動していく。
このような手送り状態によるデジタルマップの移動は、表示画面内で一旦グラバーハンドの位置を移動して更に同様の動作をして表示部位の移動を行う必要がある。すなわち従来のグラバーハンドを用いた表示部位の移動方式では、不連続な手送りによる表示部位の移動しか行えない。
【０００４】
【発明が解決しようとする課題】
従って、従来のデジタルマップにおいてはデジタルマップの表示部位を連続的にスクロール（移動）をすることが不可能であるとともに、その不連続な手送りによる表示部位の移動は、一定速度でしか行えない。
そこで本発明は上記課題を解消し、任意の速度でデジタルマップの表示部位の連続的な移動を行うことができるデジタルマップの移動表示方法、デジタルマップの移動表示装置、及びデジタルマップの移動表示プログラムを格納した格納媒体を提供することを目的としている。
【０００５】
【課題を解決するための手段】
上記目的は、本発明にあっては、デジタルマップを表示するデジタルマップ表示手段と、デジタルマップの表示部位の移動を指示する操作手段と、操作手段による操作に応じて、デジタルマップ上に表示されるポインタを設定するポインタ設定手段と、操作手段による移動指示に応じて、デジタルマップの表示部位の移動を制御する移動制御手段と、ポインタの近傍に、デジタルマップの移動に関する情報を提示するウィンドウを表示するウィンドウ表示手段とを備え、ポインタ設定手段は、操作手段による移動指示操作の起点から終点までの距離を、ポインタの長さとして設定し、移動制御手段は、ポインタの長さに基づいて、デジタルマップの移動速度を設定し、ウィンドウ表示手段は、ウィンドウにデジタルマップの移動速度を表示することを特徴とする情報処理装置により、達成される。
【０００６】
本発明では、デジタルマップの表示部位を表示画面内で連続的に移動しようとする際に、ユーザにより表示部位に位置されているポインタを移動する量が、表示画面内におけるデジタルマップの表示部位の移動速度に対応されている。
これにより、ポインタを移動する量をユーザが定めれば、デジタルマップの表示部位の移動速度を自由に設定することができる。従って、ユーザはデジタルマップの希望する表示部位を即座に表示画面内に表示させることができる。
本発明において好ましくはデジタルマップの表示部位の移動速度の大きさが、ポインタの矢印の長さで表示できるようにすれば、ユーザはそのポインタの矢印の長さを確認することで、デジタルマップの表示部位の移動速度を想定することができる。
また本発明では、好ましくは表示画面内のポインタの付近に、演算の結果からデジタルマップの表示部位の移動方向と移動速度が表示できるので、ユーザは表示部位の移動方向とその移動速度を表示画面内で確実に視覚的に認識することができる。
【０００７】
上記目的は、本発明にあっては、デジタルマップを表示する表示ステップと、デジタルマップの表示部位の移動を指示する操作ステップと、操作ステップの処理による操作に応じて、デジタルマップ上に表示されるポインタを設定するポインタ設定ステップと、操作ステップの処理による移動指示に応じて、デジタルマップの表示部位の移動を制御する移動制御ステップと、ポインタの近傍に、デジタルマップの移動に関する情報を提示するウィンドウを表示するウィンドウ表示ステップとを含み、ポインタ設定ステップの処理では、操作ステップの処理による移動指示操作の起点から終点までの距離が、ポインタの長さとして設定され、移動制御ステップの処理では、ポインタの長さに基づいて、デジタルマップの移動速度が設定され、ウィンドウ表示ステップの処理では、ウィンドウにデジタルマップの移動速度が表示されることを特徴とする情報処理方法により、達成される。
【０００８】
本発明では、表示手段の表示画面にデジタルマップの表示部位を表示する。ポインティング手段は、表示手段の表示画面に表示されているデジタルマップの表示部位内で、ユーザがポインタを移動する際に用いる。
演算処理手段は、ユーザのポインティング手段の操作により、デジタルマップの表示部位内で移動されるポインタの移動する量が、表示画面内におけるデジタルマップの表示部位の移動速度に対応するように処理する。
これにより、ポインタを移動する量をユーザが定めれば、デジタルマップの表示部位の移動速度を自由に設定することができる。従って、ユーザはデジタルマップの希望する表示部位を即座に表示画面内に表示させることができる。
【０００９】
上記目的は、本発明にあっては、デジタルマップの表示を制御する表示制御ステップと、デジタルマップの表示部位の移動の指示を制御する操作制御ステップと、操作制御ステップの処理による操作に応じて、デジタルマップ上に表示されるポインタの設定を制御するポインタ設定制御ステップと、操作制御ステップの処理による移動指示に応じて、デジタルマップの表示部位の移動を制御する移動制御ステップと、ポインタの近傍に、デジタルマップの移動に関する情報を提示するウィンドウの表示を制御するウィンドウ表示制御ステップとをコンピュータに実行させるプログラムが記録されている記録媒体であって、ポインタ設定制御ステップの処理では、操作制御ステップの処理による移動指示操作の起点から終点までの距離が、ポインタの長さとして設定され、移動制御ステップの処理では、ポインタの長さに基づいて、デジタルマップの移動速度が設定され、ウィンドウ表示制御ステップの処理では、ウィンドウにデジタルマップの前記移動速度が表示されることを特徴とする記録媒体により、達成される。
【００１０】
本発明では、デジタルマップの表示部位を表示画面内で連続的に移動しようとする際に、ユーザにより表示部位に位置されているポインタを移動する量が、表示画面内におけるデジタルマップの表示部位の移動速度に対応させている。
これにより、ポインタを移動する量をユーザが定めれば、デジタルマップの表示部位の移動速度を自由に設定することができる。従って、ユーザはデジタルマップの希望する表示部位を即座に表示画面内に表示させることができる。
【００１１】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１２】
図１は、本発明のデジタルマップの移動装置１００の好ましい実施の形態を示す斜視図である。このデジタルマップの移動装置１００のシステム構成は、図２に示している。
図１のデジタルマップの移動装置１００は、いわゆる携帯型のノートブックパーソナルコンピュータであり、デジタルマップの移動装置１００は、概略的には本体２、表示手段３、マウス６、タッチパッド１２、タッチパッド３１，３２などを有している。表示手段３は表示画面４を有しており、この表示手段３は、例えば液晶表示装置（ＬＣＤ）を採用することができる。この表示手段３は、本体２に対して開閉可能に取り付けられている。
本体２は、上述したポインティング手段であるマウス６、ポインティング手段であるタッチパッド１２，３１，３２及びキーボード１１、電源ランプ１５などを有している。
【００１３】
図２は、この本体２内のシステム構成と、表示手段３を示している。
本体２は、上述したタッチパッド１２，３１，３２、ハードディスクドライブ（ＨＤＤ）８５、フロッピーディスクドライブ（ＦＤＤ）８６、ＣＤ−ＲＯＭ（コンパクトディスクを利用した読出し専用メモリ）のドライブ８７、キーボード１１の検出回路８４、ＣＰＵ（中央処理装置）８１、ＲＯＭ（読出し専用メモリ）８２、ＲＡＭ（ランダムアクセスメモリ）８３及びコントローラ５１を有している。
タッチパッド１２，３１，３２及びマウス６は、コントローラ５１に接続されている。コントローラ５１、ＲＯＭ８２、ＲＡＭ８３、検出回路８４、ハードディスクドライブ８５、フロッピーディスクドライブ８６、ＣＤ−ＲＯＭのドライブ８７は、バスＢＡを介してＣＰＵ８１に接続されている。
【００１４】
図１のマウス６は、マウス本体６ａ、左ボタン６ｂ、右ボタン６ｃを有している。タッチパッド１２の下方に、左クリックボタンとしてのタッチパッド３１と、右クリックボタンとしてのタッチパッド３２が設けられている。
【００１５】
図２のＣＰＵ８１は、ＲＯＭ８２に記憶されているプログラムに従って各種の処理を実行する。ＲＡＭ８３には、ＣＰＵ８１が各種の処理を実行する上において必要なデータ、プログラムなどが、適宜記憶される。検出回路８４は、キー１１の操作を検出し、その検出信号をＣＰＵ８１に出力している。
【００１６】
ハードディスクドライブ（ＨＤＤ）８５は、ＣＰＵ８１が処理するプログラム、データなどを適宜記憶する。フロッピーディスクドライブ（ＦＤ）８６は、装着されたフロッピーディスク８９に対してデータを記録再生する。
【００１７】
コントローラ５１は、タッチパッド１２（第１のタッチパッド）とタッチパッド３１，３２（第２のタッチパッド）、マウス６の操作を検出し、検出信号をＣＰＵ８１に出力する。
【００１８】
ユーザがタッチパッド１２，３１，３２を用いてポインタ５を移動する場合、ユーザは、タッチパッド１２上の所定の位置を指で接触（押圧）し、その接触位置を、ポインタ５を移動させる方向に移動させる操作を行う。コントローラ５１は、この操作を検出する。すなわち、ユーザがタッチパッド１２を指で押圧すると、その押圧された位置の静電容量が変化する。例えば、タッチパッド１２のある位置を指で押圧すると、水平方向の電極と垂直方向の電極の間の静電容量が、他の電極との間の静電容量に比較して大きく変化する。
【００１９】
キーボード１１のキーが操作されると、検出回路８４は、その操作に対応する検出信号をＣＰＵ８１に出力する。ＣＰＵ８１は、入力された検出信号に対応して、例えば、所定の文字のデータを発生させ、表示画面４に出力して、表示させる。また、同様にして、ＣＰＵ８１は、ＲＯＭ８２に記憶されているポインタ５の図形データを読み出し、表示画面４に出力し、表示させる。これにより、例えば図１に示すように、ポインタ５が表示される。
【００２０】
図２のコントローラ５１、ＣＰＵ８１、ＲＯＭ８２、ＲＡＭ８３及び検出回路８４は、演算処理手段１２０を構成している。この演算処理手段１２０は、ポインティング手段であるマウス６あるいはタッチパッド１２，３１，３２を操作することにより、後で述べるデジタルマップの表示部位内で移動されるポインタの移動する量が、表示画面内におけるデジタルマップの表示部位の移動速度に対応させるための機能部分である。
【００２１】
本発明の実施の形態におけるデジタルマップの移動表示方法のプログラムは、例えば米国のマイクロソフト社ウィンドウズ９５（ＷＩＮＤＯＷＳ’９５）のオペレーティングシステムで動作するもので、図２の例えばＣＤ−ＲＯＭ８８に格納されており、このＣＤ−ＲＯＭ８８をＣＤ−ＲＯＭのドライブ８７に入れることにより、このＣＤ−ＲＯＭ８８のデジタルマップの移動表示プログラムは、ハードディスクドライブ８５内に落とし込むことができる。オペレーティングシステム（ＯＳ）とは、コンピュータを使うための基本となる「アプリケーションの実行」、「ファイルの管理」などの機能を把握するソフトウェアである。
あるいはこのようなデジタルマップの移動表示プログラムは、ＣＤ−ＲＯＭ８８に替えてフロッピーディスク８９に格納することもでき、このフロッピーディスク８９がフロッピーディスクドライブ８６に挿入されると、このフロッピーディスク８９内のデジタルマップの移動表示プログラムは、ハードディスクドライブ８５に落とし込むことができる。
あるいは、ハードディスクドライブ８５に対して、インターネットのようなネットワークを通じて外部からデジタルマップの移動表示プログラムを落とし込むこともできる。
【００２２】
次に、図３を参照する。図３は、図１及び図２の表示手段３の表示画面４に表示されたデジタルマップの移動表示プログラムに含まれる画面１３０を示している。この画面１３０は単なる一例であるが、この画面１３０内には、タイトルバー１３１、メニューバー１３２、ツールバー１３３、（情報表示）リストボックス１３４、ガイダンスエリア１３５、地図表示領域１３６、地図ウィンドウのタイトルバー１３８、スケール表示１３９、緯度・経度表示１４０、（ズームイン）ボタン１４１、（ズームアウト）ボタン１４２、スケールバー１４３、スケールバーつまみ（スライダともいう）１４４、最大化ボタン１４５、最小化ボタン１４６、Ｘボタン（閉じるボタン）１４７などが表示されている。また画面１３０のウィンドウ１３０ａの中には別のウィンドウ１３０ｂが表示されている。このウィンドウ１３０ｂ内には、デジタルマップ１５０の表示部位１５０の一例が表示されている。メニューバー１３２は、タイトルバー１３１の下にある機能名が並んでいるところで、ここをクリックするとさらに詳しい表示がでる。
【００２３】
図４は、図３のウィンドウ１３０ｂを示しており、このウィンドウ１３０ｂ内のデジタルマップの表示部位１５０内には、ポインタＰＴと、情報表示部１６０表示できるようになっている。この情報表示部１６０は、ポインタＰＴの付近に任意に表示できる。ウィンドウとは、コンピュータの画面に開かれる窓のような枠で囲まれた表示部分である。
ここでポインタＰＴについて説明する。このポインタＰＴは、図１に示す矢印型のポインタ５を変形したものである。すなわち、図１のマウス６の左ボタン６ｂをクリックすることにより、ＣＰＵ８１は例えばＣＤ−ＲＯＭ８８に記憶されているデジタルマップの移動表示プログラムに従って図１に示す通常の矢印型のポインタ５は、図４と図６に示す特別な形状のポインタＰＴに変換することができる。
このポインタＰＴの形状の一例を図６により説明すると、ポインタＰＴは、円形部分１５３、矢印部分１５４を有しており、矢印部分１５４は直線部分１５５と三角形部分１５６を有している。この矢印部分１５４の直線部分１５５の向きは、図４のデジタルマップの表示部位１５０における北（Ｎ）方向に対してθ（０°〜３６０°）傾けることにより、デジタルマップの表示部位１５０のスクロール（移動）方向を与えることができる。
【００２４】
しかも、この直線部分１５５及び三角形部分１５６を含む円形部分１５３の中心１５７からの長さＬは、デジタルマップの表示部位１５０の移動速度（スクロール速度）を目視的に表示するようになっている。すなわちデジタルマップの表示部位１５０の移動速度の大きさは、矢印部分１５４の長さＬで表示できる。
情報表示部１６０は、このポインタＰＴが表わしているデジタルマップの表示部位１５０の速度ＸＫｍ／ｈと、矢印部分１５４の北（Ｎ）に対する方向（角度）θを表示するようになっている。
【００２５】
図７（Ａ）のポインタＰＴは、図４のデジタルマップの表示部位１５０の移動速度が速い場合の例を示しており、矢印部分１５４の長さＬ１が大きくなっている。これに対して、図７（Ｂ）に示すポインタＰＴの矢印部分１５４の長さＬ２は、図７（Ａ）の長さＬ１よりも短く設定されている。このことから、図７（Ｂ）のポインタＰＴが表わす速度は図７（Ａ）のポインタＰＴが表わす速度よりも遅い表示である。
【００２６】
図８は、図３のウィンドウ１３０ａに表示できる環境設定用のダイヤログボックス１３０ｃを示している。このダイヤログボックス１３０ｃの速度・方向情報を表示する部分１３０ｄをクリックすることにより、図４及び図６に示すようにポインタＰＴの付近には情報表示部１６０を希望に応じて表示させることができる。クリックとは、マウスのボタンをすばやく押して離す動作である。
【００２７】
図５は、図１のマウス６を示している。このマウス６は、図６に示すポインタＰＴの矢印部分１５４の方向と、ポインタＰＴによる速度の設定を行うことができる。マウスは、机の上ですべらして画面上の特定の部分を指すための装置である。
図５のマウス６の左ボタン６ｂをユーザの指で押したままで、マウス６を例えば希望する方向Ｄに実線の状態から破線で示す状態に移動する。つまり、マウス６によりドラッグ操作をする。これにより、マウス６のボール６ｄは、起点ＳＴＰから到着点ＥＰに達する。この起点ＳＴＰから到着点ＥＰまでの希望する方向Ｄに関する距離ＬＸは、図４と図６に示すポインタＰＴの矢印部分１５４の長さＬに相当する。この希望する方向Ｄに関する長さＬＸが長ければ図７（Ａ）に示すように図４のデジタルマップの表示部位１５０の矢印部分１５４の方向への移動速度を速くすることができ、逆に長さＬＸが小さければポインタＰＴの矢印部分１５４の方向に関するデジタルマップの表示部位１５０の速度を図７（Ｂ）に示すように遅くすることができる。
【００２８】
また希望する方向Ｄは、マウス６を希望する方向Ｄへ移動することで、ポインタＰＴの矢印部分１５４の北（Ｎ）に対して設定することができる。
このようなデジタルマップの表示部位１５０の移動速度及び方向のシュミレーションは、図２に示す演算処理手段１２０の特にＣＰＵ８１が行う。
ポインタＰＴの矢印部分１５４の方向の設定は、図１に示すカーソルキー１１ａを用いても行うことができるが、その時の表示部位１５０の移動速度を調整することはできない。
【００２９】
次に、図９を参照して、デジタルマップの移動表示プログラムに従って、図４におけるデジタルマップの表示部位１５０の移動操作をする例（スクロール操作例）について説明する。
まず図９のステップＳＰ０において、図２の例えばＣＤ−ＲＯＭのドライブ８７に対してＣＤ−ＲＯＭ８８を挿入する。あるいはフロッピーディスクドライブ８６に対してフロッピーディスク８９を挿入する。
これにより、ＣＤ−ＲＯＭ８８あるいはフロッピーディスク８９に格納されている本発明のデジタルマップの移動表示プログラムの好ましい実施の形態が、バスＢＡを介してハードディスクドライブのハードディスク２を落とし込まれる。このような準備が終了すると、図３の表示手段３の表示画面４にはウィンドウ１３０ｂが表示される。このウィンドウ１３０ｂは、デジタルマップのウィンドウである。このウィンドウ１３０ｂだけを示すのは図４であり、ステップＳＰ１のようにこの図４のウィンドウ１３０ｂのデジタルマップの表示部位１５０を表示する。
ただし、シフトキーやコントロールキーをターボキーとして割り当てて、カーソルキー１１ａの操作時に、このターボキーを同時に押すことによって、表示部位１５０の移動速度を増加させたり、押しつづけることによって徐々に移動速度を増加させることも勿論可能である。
【００３０】
ステップＳＰ２においては、図１に示す矢印型のポインタ５が表示部位１５０の上に表示される。
ステップＳＰ３では、図５のマウス６の左ボタン６ｂをユーザがクリックする。これにより図１の矢印型のポインタ５が図４及び図６に示すような表示部位１５０のスクロール用移動（移動用）のポインタＰＴに替わり、このポインタＰＴが表示部位１５０の上に表示される（ステップＳＰ４）。これと同時に、必要に応じて情報表示部１６０がポインタＰＴの付近に表示される。
【００３１】
図９のステップＳＰ５において、マウス６の右ボタン６ｂが押されたままのドラック状態か否かが判断され、肯定結果の場合は、次のステップＳＰ６に進み、否定結果の場合は、ポインタの形状を元にもどしてステップＳＰ１へ戻る。次にステップＳＰ６において、図５のマウス６の左ボタン６ｂを押したままで、希望する方向Ｄに沿ってユーザがマウス６をテーブルＴの上で移動する。マウス６の左ボタン６ｂを押したままで、マウス６を希望する方向Ｄに動かすことで、マウス６の起点ＳＴＰからの移動量で、図６に示すポインタＰＴの矢印部分１５４の長さＬを設定する。
【００３２】
これにより、図４と図６に示すように、ステップＳＰ７のようにデジタルマップの表示部位１５０は、ポインタＰＴの長さＬに対応した移動速度で図面において斜め右上方向に連続的に移動（スクロール）できる。矢印部分１５４の北（Ｎ）に対する方向は、表示部位１５０の移動方向を表わしている。
【００３３】
ステップＳＰ８に示すように、スクロールポインタＰＴの付近には情報表示部１６０が表われており、この情報表示部１６０は、現時点における表示部位１５０の移動速度（Ｘ）と、その移動方向（角度θ）をシミュレーションして示すことができる。
これによりユーザは、デジタルマップの表示部位１５０のスクロール方向及びスクロール速度を視覚的に簡単に知ることができる。そして、ステップＳＰ９において、指定された移動速度（Ｘ）と、移動方向（角度θ）で表示部位１５０がスクロール処理されることによって、ユーザは表示部位１５０を連続的にスクロールして、所望の地図領域に到達することができる。
【００３４】
ところで、図１０に示すように、図１０は、図４とは別のデジタルマップの表示部位１５９を一例として示しており、このデジタルマップの表示部位１５９には、ホップアップ表示部１８０が表示されている。通常の矢印型のポインタ５が指し示すデジタルマップの表示部位１５９の上の情報アイコンに合わせると、情報アイコンの名称が、ホップアップ表示部１８０に表示できる。例えばこのホップアップ表示部１８０に表示する例としては例えばスーパーマーケット名やコンビニエンスストア名あるいはガスステーション名など地図上の情報アイコンに対応する各種の情報を表示することができる。
【００３５】
図１１は、図５のマウス６の操作に替えて、図１ですでに示したタッチパッド１２，３１，３２を用いて、やはり図４と図６のポインタＰＴの移動方向及び移動速度を設定する例を示している。従って、タッチパッド１２，３１，３２は、マウス６に替わるポインティング手段である。
操作の一例としては、ユーザの指Ｆ１が、左側のタッチパッド３１に触りながら、ユーザの別の指Ｆ２が、中央の大きなタッチパッド１２を希望する方向Ｄに移動させることにより、同様にして、その移動量に応じて図４と図６のポインタＰＴの矢印部分１５４の長さＬを設定することができるとともに、その移動方向も設定できる。従って、矢印部分１５４の長さＬに対応して、図４に示すデジタルマップの表示部位１５０は移動速度で移動できることになる。
【００３６】
ところで本発明は上記実施の形態に限定されない。
上述した実施の形態では、本発明のデジタルマップの移動表示プログラムは、図１に示すＣＤ−ＲＯＭ８８やフロッピーディスク８９に格納している例を示している。しかしこれに限らず、あらかじめハードディスクドライブ８５のハードディスクにインストールして格納することもできるし、あるいは外部のインターネットのようなネットワークを通じて、デジタルマップの移動表示プログラムを例えばハードディスクドライブのハードディスク８５に格納することもできる。また格納媒体としては他の種類のディスク、たとえば高密度記録用ディスク（ＤＶＤ）などを用いてもよい。
【００３７】
また図１のデジタルマップの移動表示装置は、小型のノートブックパーソナルコンピュータであるが、これに限らずディスクトップ型のパーソナルコンピュータ、あるいは自動車などの移動体に搭載されるナビゲーションシステム、あるいは携帯型のナビゲーションシステムなどにも適用できる。
また図４と図６に示すポインタＰＴの形状は、これに限るものではなく、移動速度を表わすための長さの設定及び移動方向を示すことができれば他の形状を用いることも勿論可能である。尚、本発明は、ポインタの矢印の長さとスクロール（移動）速度が比例する場合と、矢印の長さとスクロール速度が非線形になる場合も含む。
さらに、図４および図６に示す情報表示部１６０には、ポインタＰＴが表わしているデジタルマップの表示部位１５０の速度ＸＫｍ／ｈと、矢印部分１５４の北（Ｎ）に対する方向（角度）θを表示するようにしたが、これらに代えて現在移動中のカーソル位置であるポインタＰＴが位置する部位の地点情報、例えば、住所、郵便番号、地名等を表示したり、速度や方向共に地点情報を表示することも可能である。
【００３８】
【発明の効果】
以上説明したように、本発明によれば、デジタルマップの表示部位の連続的な移動を行いながら、任意の速度でデジタルマップの表示部位の移動を行うことができる。
【図面の簡単な説明】
【図１】本発明のデジタルマップの移動装置の一例として、小型のノートブックパーソナルコンピュータを示す斜視図。
【図２】図１のデジタルマップの移動装置のシステムを示す図。
【図３】図１のデジタルマップの移動表示装置の表示手段に表示されているデジタルマップの表示部位の一例を示す図。
【図４】図３のデジタルマップの表示部位上にポインタと情報表示部を表示させた例を示す図。
【図５】マウスの操作例を示す図。
【図６】図４のポインタの形状及び情報表示部の表示例を示す図。
【図７】図６のポインタによる表示部位の移動速度の程度を示す図。
【図８】図６の情報表示部を表示させるためのダイヤログボックスの一例を示す図。
【図９】本発明のデジタルマップの移動表示プログラムに基づいてデジタルマップの表示部位を移動（スクロール）するための操作例を示す図。
【図１０】デジタルマップの表示部位の上に地図上の情報アイコンの名称をホップアップ表示部で示す図。
【図１１】図１のポインティングディバイスであるタッチパッドの操作例を示す図。
【符号の説明】
３・・・表示手段、４・・・表示画面、６・・・マウス（ポインティング手段）、１２，３１，３２・・・タッチパッド（ポインティング手段）、８８・・・ＣＤ−ＲＯＭ（デジタルマップの移動表示プログラムを格納した格納媒体）、８９・・・フロッピーディスク（デジタルマップの移動表示プログラムを格納した格納媒体）、１００・・・デジタルマップの移動表示装置、１２０・・・演算処理手段、１３０ｂ・・・ウィンドウ（地図ウィンドウ）、１５０・・・デジタルマップの表示部位
【図１】
0003624626.tif 000002
【図２】
0003624626.tif 000003
【図３】
0003624626.tif 000004
【図４】
0003624626.tif 000005
【図５】
0003624626.tif 000006
【図６】
0003624626.tif 000007
【図７】
0003624626.tif 000008
【図８】
0003624626.tif 000009
【図９】
0003624626.tif 000010
【図１０】
0003624626.tif 000011
【図１１】
0003624626.tif 000012